(57)【要約】【課題】      磁気回路の振動を抑制することにより、高品質な音再生を実現するスピーカー装置を提供する。【解決手段】  車載用として好適なスピーカー装置は、放音側に音波を放射する主体的な機能を果たす本体部、及び駆動時に本体部の振動系が振動することに起因して磁気回路で発生する振動を抑制する振動抑制部を備えている。本体部のボイスコイルと振動抑制部のボイスコイルは逆方向に巻かれており、本体部のボイスコイルと振動抑制部のボイスコイルの各有効線長は夫々同一に設定されている。本体部及び振動抑制部の各ボイスコイルに同位相で且つ同一の大きさの電流（電気信号）が印加されると、本体部のボイスコイルボビンと振動抑制部のボイスコイルボビンは互いに逆方向に且つ同一の力で移動するので、共通の磁気回路に対してそれぞれ逆方向の反作用が働き、それらが相互に打ち消し合う。このため、磁気回路に振動が生じるのを抑制でき、スピーカー装置の車両用のキャビネット等への取り付け部から異音が発生することを防止できる。【選択図】    図１
2006013587.tif 000002
【特許請求の範囲】
【請求項１】
第１の磁気回路と、前記第１の磁気回路により駆動される第１の振動部とを有し、放音側に音波を放射する機能を有する本体部と、
前記第１の磁気回路と一体的に形成された第２の磁気回路と、前記第２の磁気回路により前記第１の振動部と逆方向に駆動される第２の振動部とを有する振動抑制部と、を備え、
前記第２の振動部は、前記第１の振動部が前記第１の磁気回路に与える振動をキャンセルする振動を、前記第２の磁気回路に与えることを特徴とするスピーカー装置。
【請求項２】
前記第２の振動部は、前記第１の振動部の振動により前記第１の磁気回路に与えられる反作用と同一の大きさで逆方向の反作用を、前記第２の磁気回路に与えることを特徴とする請求項１に記載のスピーカー装置。
【請求項３】
前記第１及び前記第２の磁気回路は、同一のポールピース、マグネット及びプレートにより構成されていることを特徴とする請求項１に記載のスピーカー装置。
【請求項４】
前記第１の振動部は、第１のボイスコイルボビン、第１のボイスコイル、第１のダンパー、及び振動板を備えていると共に、前記第２の振動部は、第２のボイスコイルボビン、第２のボイスコイル、第２のダンパー及びダミーウェイトを備えていることを特徴とする請求項１乃至３のいずれか一項に記載のスピーカー装置。
【請求項５】
前記第１のボイスコイルと前記第２のボイスコイルは同一の有効線長を有し、相対的に逆方向に巻回されており、
前記第１のボイスコイルと前記第２のボイスコイルに同一の電気信号を供給する信号供給回路をさらに備えることを特徴とする請求項４に記載のスピーカー装置。
【請求項６】
前記ダミーウェイトは、前記第１の振動部の前記振動板と同一の質量を有することを特徴とする請求項４に記載のスピーカー装置。
【請求項７】
前記本体部と前記振動抑制部は、各々同一の最低共振周波数に設定されていることを特徴とする請求項１乃至６のいずれか一項に記載のスピーカー装置。
【発明の詳細な説明】
【技術分野】
【０００１】
本発明は、スピーカー装置の振動抑制方法に関する。
【背景技術】
【０００２】
従来より、ヨーク、マグネット及びポールピースを有する磁気回路と、ボイスコイルボビン、ボイスコイル、振動板及びフレームを有する振動系とを備える車載用のスピーカー装置が知られている。そのようなスピーカー装置では、磁気回路や振動系を支持する機能を有するフレームが、キャビネット、ドア等の取り付け部に取り付けられている。
【０００３】
しかしながら、かかるスピーカー装置では、フレームをキャビネット等の取り付け部に取り付けるようにしているので、次のような不具合が生じている。かかるスピーカー装置において、ボイスコイルボビンがその軸方向に移動した場合、磁気回路はその反作用の力を受ける。このため、その磁気回路には振動が発生する。そして、その磁気回路に発生した振動は、フレームを経由してさらにキャビネット等の取り付け部に伝達される。このため、かかるスピーカー装置では、振動板から放射される音波以外の音波（妨害音波）がキャビネット等の取り付け部から放射されるので、高品質な音再生を実現できないという問題が生じている。
【０００４】
この種の不具合を解消することを可能とするスピーカー装置として、例えば、１つのスピーカーを用い、そのスピーカーを構成するヨークに可動体とウェイトからなる振動体を取り付けることにより振動板で生ずる反作用をなくして、スピーカボックスの揺動を防止するようにしたスピーカー装置が知られている（例えば、特許文献１を参照）。
【０００５】
また、上記同様に１つのスピーカーを用い、そのスピーカーを構成するボイスコイルボビンの頂部又は振動板のコーン内周の傾斜部にキャップと兼用される振動体を取り付けることにより振動板で生ずる反作用をなくして、スピーカボックスの揺動を抑制するようにしたスピーカー装置が知られている（例えば、特許文献２を参照）。
【０００６】
また、上記同様に１つのスピーカーを用い、そのスピーカーを構成するガスケット上に可動体とウェイトと外側リングからなる振動体を取り付けることにより振動板で生ずる反作用をなくして、スピーカボックスの揺動を抑制するようにしたスピーカー装置が知られている（例えば、特許文献３を参照）。
【０００７】
また、磁気回路の背面側に重りを装着することにより、振動板の動きの反作用に伴う振動を抑制するようにしたスピーカー装置が知られている（例えば、特許文献４を参照）。また、低域での音圧を増大させ、スピーカボックスの上下間並びに左右間の反作用力を互いに相殺させることが可能なスピーカー装置が知られている（例えば、特許文献５を参照）。
【０００８】
【特許文献１】特開２０００−５９８７９公報
【特許文献２】特開平１１−３４６３９９公報
【特許文献３】特開２０００−４１２７９公報
【特許文献４】特開２００２−１５２８８４公報
【特許文献５】特開２０００−２３２７５公報
【発明の開示】
【発明が解決しようとする課題】
【０００９】
本発明が解決しようとする課題としては、上記のようなものが例として挙げられる。本発明は、磁気回路の振動を抑制することにより、高品質な音再生を実現するスピーカー装置を提供することを課題とする。
【課題を解決するための手段】
【００１０】
請求項１に記載の発明は、スピーカー装置であって、第１の磁気回路と、前記第１の磁気回路により駆動される第１の振動部とを有し、放音側に音波を放射する機能を有する本体部と、前記第１の磁気回路と一体的に形成された第２の磁気回路と、前記第２の磁気回路により前記第１の振動部と逆方向に駆動される第２の振動部とを有する振動抑制部と、を備え、前記第２の振動部は、前記第１の振動部が前記第１の磁気回路に与える振動をキャンセルする振動を、前記第２の磁気回路に与えることを特徴とする。
【発明を実施するための最良の形態】
【００１１】
本発明の好適な実施形態では、スピーカー装置は、第１の磁気回路と、前記第１の磁気回路により駆動される第１の振動部とを有し、放音側に音波を放射する機能を有する本体部と、前記第１の磁気回路と一体的に形成された第２の磁気回路と、前記第２の磁気回路により前記第１の振動部と逆方向に駆動される第２の振動部とを有する振動抑制部と、を備え、前記第２の振動部は、前記第１の振動部が前記第１の磁気回路に与える振動をキャンセルする振動を、前記第２の磁気回路に与える。
【００１２】
上記のスピーカー装置は、第１の磁気回路及び第１の振動部を有し、放音側に音波を放射する機能を有する本体部を備えている。第１の磁気回路を駆動することにより、第１の振動部が駆動され放音側に音波を放射することができる。また、このスピーカー装置は、第１の磁気回路と一体的に形成された第２の磁気回路と、第２の磁気回路により第１の振動部と逆方向に駆動される第２の振動部を有する振動抑制部を備えている。第２の磁気回路を駆動することにより、第２の振動部を第１の振動部の駆動方向と逆方向に駆動することができる。なお、第１の磁気回路と第２の磁気回路は一体的に形成されているので、それらに対応する磁気ギャップでは各々略同一の大きさの磁界が形成されている。
【００１３】
このスピーカー装置において、本体部の第１の振動部だけを駆動させた場合には、その反作用により第１及び第２の磁気回路に振動が発生する。したがって、このスピーカー装置を例えばフレームを介して車両用のキャビネット等の取り付け部に取り付けたような場合には、第１及び第２の磁気回路で生じた振動がそのフレームを介してその取り付け部に伝達され、その取り付け部から放音側に不要な音波（妨害音波）が放射される。これにより、高品質な音再生を実現することができなくなってしまう。
【００１４】
しかしながら、このスピーカー装置では、前記第２の振動部は、前記第１の振動部が前記第１の磁気回路に与える振動をキャンセルする振動を、前記第２の磁気回路に与える。したがって、第１及び第２の磁気回路において、第１の振動部の駆動に伴ってその反作用により発生する力（振動）と、第２の振動部の駆動に伴ってその反作用により発生する力（振動）とが互いに打ち消され、第１及び第２の磁気回路に振動が生じるのを抑制することができる。したがって、このスピーカー装置を例えばフレームを介して車両用のキャビネット等の取り付け部に取り付けたような場合には、第１及び第２の磁気回路から取り付け部側に振動が伝達されるのを抑制できるので、その取り付け部から放音側に不要な音波（妨害音波）が放射されるのを抑制することができる。これにより、高品質な音再生を実現することができる。
【００１５】
上記のスピーカー装置の一態様では、前記第２の振動部は、前記第１の振動部の振動により前記第１の磁気回路に与えられる反作用と同一の大きさで逆方向の反作用を、前記第２の磁気回路に与える。第１の磁気回路と第２の磁気回路とは一体的に形成されているので、磁気回路に対して与えられる力は相互にキャンセルされ、磁気回路の振動が防止される。好適な実施例では、前記第１及び前記第２の磁気回路は、同一のポールピース、マグネット及びプレートにより構成される。
【００１６】
上記のスピーカー装置の他の一態様では、前記第１の振動部は、第１のボイスコイルボビン、第１のボイスコイル、第１のダンパー、及び振動板を備えていると共に、前記第２の振動部は、第２のボイスコイルボビン、第２のボイスコイル、第２のダンパー及びダミーウェイトを備えている。
【００１７】
この態様によれば、第１の振動部は、第１のボイスコイルボビン、第１のボイスコイル、第１のダンパー、及び振動板を備えているので、第１の磁気回路を駆動することにより第１の振動部をスピーカー装置の軸方向に駆動することができる。これにより、放音側に振動板を通じて音波を放射することができる。一方、第２の振動部は、第２のボイスコイルボビン、第２のボイスコイル、第２のダンパー及びダミーウェイトを備えている。このため、第２の磁気回路を駆動することにより第２の振動部をスピーカー装置の軸方向に駆動することができる。また、ダミーウェイトを備えているので、そのダミーウェイトの重さを調整することにより、第２の振動部の質量を変えることができる。好適な例では、前記ダミーウェイトは、前記第１の振動部の質量と前記第２の振動部の質量が同一となる重さに設定することができる。これにより、第１の振動部と第２の振動部を各々同一の力で駆動するのを可能とする。なお、第２の振動部には振動板が設けられていないので、第２の振動部から不要な音波が発生することはない。
【００１８】
上記のスピーカー装置の他の一態様では、前記第１のボイスコイルと前記第２のボイスコイルは同一の有効線長を有し、相対的に逆方向に巻回されており、前記第１のボイスコイルと前記第２のボイスコイルに同一の電気信号を供給する信号供給回路をさらに備える。
【００１９】
この態様では、第１のボイスコイルと第２のボイスコイルは同一の有効線長を有し、逆方向に巻かれている。また、第１の磁気回路と第２の磁気回路の磁束密度は略同一であるので、第１の振動部と第２の振動部は同一の大きさの力で逆方向に駆動される。これにより、磁気回路に生じる振動が防止される。
【００２０】
上記のスピーカー装置の好適な実施例では、前記ダミーウェイトは、前記第１の振動部の前記振動板と同一の質量を有する。これにより、前記第１の振動部の重量と前記第２の振動部の質量を同一とすることができ、第１の振動部と第２の振動部を各々同一の力で駆動することが可能となる。
【００２１】
上記のスピーカー装置の他の一態様では、前記本体部と前記振動抑制部は、各々同一の最低共振周波数に設定されている。これにより、スピーカー装置の再生可能周波数の全帯域に亘って、第１及び第２の磁気回路に振動が生じるのを抑制することができる。
【実施例】
【００２２】
以下、図面を参照して本発明の好適な実施例について説明する。本発明は、スピーカー装置における磁気回路の振動を抑制するものである。本発明の実施例では、複数組の磁気回路及び振動系を設けて、その一方を磁気回路の振動抑制手段として機能させる。これにより、スピーカー装置の駆動時に磁気回路で発生する振動を抑制する。また、このスピーカー装置を例えばフレームを介して車両用のキャビネット等の取り付け部に取り付けたような場合には、その振動抑制手段を機能させることにより、磁気回路で生じる振動がフレームを介して取り付け部に伝達されるのを防止する。これにより、振動板から放射される音波以外の音波（妨害音波）が、その取り付け部から放音側に放射されるのを抑制し、高品質な音再生を実現する。
【００２３】
[第１実施例]
（スピーカー装置の構成）
図１に、本発明の第１実施例に係るスピーカー装置１００の概略構成を模式的に示す。図１は、スピーカー装置１００を中心軸を含む平面で切断したときの断面図を示す。以下、図１を参照して、第１実施例のスピーカー装置１００の構成等について説明する。
【００２４】
スピーカー装置１００は、放音側に音波を放射する主体的な機能を果たす本体部と、駆動時に本体部の振動系が振動することに起因して磁気回路に発生する振動をキャンセルする振動抑制部と、その他の部材と、を備えている。スピーカー装置１００は、車両用スピーカーとしてキャビネット、ドア等の取り付け部に取り付けた状態で好適に用いることができる。
【００２５】
本体部は、ポールピース１の構成要素であるヨーク１ａ及びセンターポール１ｂ、並びにマグネット２及びプレート３を有する磁気回路５０と、ボイスコイルボビン４、ボイスコイル５、ダンパー６、フレーム７、振動板８及び防塵キャップ９を有する振動系６０と、を備えている。
【００２６】
先ず、本体部の磁気回路５０の構成について説明する。
【００２７】
ポールピース１は、その略中央に形成された略円柱形状をなすセンターポール１ｂと、そのセンターポール１ｂと一定の間隔を隔てて形成された略円筒形状をなすヨーク１ｃと、センターポール１ｂの下端部とヨーク１ｃの下端部との間に形成されたフランジ形状をなすヨーク１ａと、を備えている。このポールピース１の構成要素のうちヨーク１ａ及びセンターポール１ｂは、マグネット２及びプレート３と共に磁気回路５０を構成している。
【００２８】
マグネット２は、略環状の形状をなし、ヨーク１ａ上に重なり合う位置に配置されている。プレート３は、略環状の形状をなし、マグネット２上に重なり合う位置に配置されている。
【００２９】
磁気回路５０では、主として、マグネット２、プレート３、ヨーク１ａ及びセンターポール１ｂにより磁気回路を構成し、プレート３の内周壁とセンターポール１ｂの外周壁との間に形成される磁気ギャップ３０にマグネット２の磁束を集中させている。
【００３０】
次に、本体部の振動系６０の構成について説明する。
【００３１】
ボイスコイルボビン４は、略円筒状の形状をなす。ボイスコイルボビン４の外周壁の下端部近傍は、プレート３の内周壁と一定の間隔を隔てて対向している。一方、ボイスコイルボビン４の内周壁の下端部近傍は、センターポール１ｂの外周壁と一定の間隔を隔てて対向している。そして、センターポール１ｂの外周壁と、対向するプレート３の内周壁との間に空隙（磁気ギャップ３０）が形成されている。
【００３２】
ボイスコイル５は、ボイスコイルボビン４の外周壁の下端部に巻かれている。ボイスコイル５は、一定の巻き幅で且つ一定の方向にボイスコイルボビン４に巻かれているが、この点については後述する。ボイスコイル５は、プラス／マイナスのリード線（図示略）を有している。プラス側のリード線は、Ｌ（又はＲ）チャンネル信号の入力配線であり、マイナス側のリード線はグランド（ＧＮＤ：接地）信号の入力配線である。各リード線は、フレーム７上に設けられた端子部（図示略）に電気的に接続されている。ボイスコイル４には、各端子部を介して、図示しないアンプ側から１チャンネル分の電気信号が入力される。
【００３３】
ダンパー６は、略リング形状をなし、複数の波型が同心円状に形成されてなる弾性部を有している。ダンパー６は、ボイスコイルボビン４を移動自在に支持する。ダンパー６の内周縁部は、ボイスコイルボビン４の外周壁の上端部近傍に固着している。一方、ダンパー６の外周縁部は、フレーム７に設けられた第２のフランジ部７ｂ上に固着している。
【００３４】
フレーム７には、スピーカー装置１００の様々な構成部品が固定され、スピーカー装置１００を支持する役目を担う。フレーム７は、各種の材料により作製することができるが、その軽量化を図る場合には樹脂材料により作製することが好ましい。フレーム７は、第１のフランジ部７ａと、第２のフランジ部７ｂと、第３のフランジ部７ｃとを有している。
【００３５】
第１のフランジ部７ａは、フレーム７の下端部に形成される。第１のフランジ部７ａは、後述するヨーク１ｃの突起部１ｃａが挿入される位置に開口７ａｂを有している。この開口７ａｂ内には突起部１ｃａが挿入され、且つ、その突起部１ｃａの上部がカシメ装置（図示略）にてカシメられた状態で、フレーム７がヨーク１ｃに固定されている。第２のフランジ部７ｂは、第１のフランジ部７ａ近傍の上方位置に形成される。第２のフランジ部７ｂ上には、ダンパー６、１２の外周縁部が夫々取り付けられる。このため、第２のフランジ部７ｂは、ダンパー６、１２を支持する役割を担う。第３のフランジ部７ｃは、フレーム７の上端部に形成される。第３のフランジ部７ｃ上には、振動板８の外周縁部が取り付けられる。このため、第３のフランジ部７ｃは、振動板８を支持する役割を担う。
【００３６】
振動板８は、いわゆるコーン形状の振動板であり、別体のエッジ部８ａと接着して接合するか、あるいはエッジ部８ａと一体的に形成されている。振動板８には、各種の用途に応じ、紙系、高分子系、金属系などの各種の材料を適用することができる。エッジ部８ａの外周縁部は、上記したようにフレーム７の上端部に形成された第３のフランジ部７ｃ上に固着している。一方、振動板８の内周縁部は、ボイスコイルボビン４の外周壁の上端部近傍に固着している。
【００３７】
防塵キャップ９は、略ドーム形状をなし、放音側となる振動板８の内周縁部の近傍位置に取り付けられる。防塵キャップ９は、スピーカー装置１００の内部に粉塵等の異物が侵入するのを防止する機能を果たす。
【００３８】
以上に述べた本体部において、アンプ側から端子部に電気信号が入力されると、その電気信号はボイスコイル５の各リード線を介して、ボイスコイル５へ供給される。これにより、磁気ギャップ３０内でボイスコイル５に駆動力が発生し、振動板８をスピーカー装置１００の軸方向に振動させる。これにより、振動板８は放音側に音波を放射する。
【００３９】
一方、振動抑制部は、ポールピース１の構成要素であるヨーク１ａ及びヨーク１ｃ、並びにマグネット２及びプレート３により構成される磁気回路５１と、ボイスコイルボビン１０、ボイスコイル１１、ダンパー１２及びダミーウェイト１３を有する振動系６１と、を備えている。
【００４０】
先ず、振動抑制部の磁気回路５１の構成について説明する。
【００４１】
ポールピース１の構成要素であるヨーク１ａ及びヨーク１ｃは、マグネット２及びプレート３と共に磁気回路５１を構成している。
【００４２】
ヨーク１ａの構成は上述した通りである。ヨーク１ｃは、ヨーク１ａの外周縁近傍から放音側に延び出てなり、略円筒形状をなしている。ヨーク１ｃの上端面には、上述の略円柱形状をなす突起部１ｃａが形成されている。マグネット２及びプレート３の構成は上述した通りである。
【００４３】
磁気回路５１では、主として、マグネット２、プレート３、ヨーク１ａ及びヨーク１ｃにより磁気回路を構成し、プレート３の外周壁とヨーク１ｃの内周壁との間に形成される磁気ギャップ３１にマグネット２の磁束を集中させている。このように、本体部の磁気回路５０と振動抑制部の磁気回路５１は一体的に形成されているので、それらに対応する磁気ギャップ３０、３１では各々略同一の大きさの磁界が形成されている。
【００４４】
次に、振動抑制部の振動系６１の構成について説明する。
【００４５】
ボイスコイルボビン１０は、略円筒状の形状をなし、ボイスコイルボビン４の径よりも大きな径を有している。ボイスコイルボビン１０の外周壁の下端部近傍は、ヨーク１ｃの内周壁と一定の間隔を隔てて対向している。一方、ボイスコイルボビン１０の内周壁の下端部近傍は、マグネット２の外周壁の一部及びプレート３の外周壁と夫々一定の間隔を隔てて対向している。そして、ヨーク１ｃの内周壁と、対向するプレート３の外周壁との間に空隙（磁気ギャップ３１）が形成されている。
【００４６】
ボイスコイル１１は、ボイスコイルボビン１０の外周壁の下端部に巻かれている。ボイスコイル１１は、一定の巻き幅で且つ一定の方向にボイスコイルボビン１０に巻かれているが、この点については後述する。ボイスコイル１１は、プラス／マイナスのリード線（図示略）を有している。プラス側のリード線は、Ｌ（又はＲ）チャンネル信号の入力配線であり、マイナス側のリード線はグランド（ＧＮＤ：接地）信号の入力配線である。各リード線は、フレーム７上に設けられた端子部（図示略）に電気的に接続されている。ボイスコイル１１には、各端子部を介して、図示しないアンプ側から１チャンネル分の電気信号が入力される。
【００４７】
ダンパー１２は、略リング形状をなし、複数の波型が同心円状に形成されてなる弾性部を有している。ダンパー１２は、ボイスコイルボビン１０を移動自在に支持する。ダンパー１２の内周縁部は、ボイスコイルボビン１０の外周壁の上端部近傍に固着している。一方、ダンパー１２の外周縁部は、フレーム７に設けられた第２のフランジ部７ｂ上に固着している。
【００４８】
ダミーウェイト１３は、振動抑制部において重りとしての役割を果たす。ダミーウェイト１３は、振動系の重量に空気の付加質量を加えた質量、具体的には、本体部の振動系６０と振動抑制部の振動系６１とが同一の質量となるような重さに設定されている。ダミーウェイト１３は、略リング形状をなし、ボイスコイルボビン１０の径と略同一の径を有する。ダミーウェイト１３は、ボイスコイルボビン１０の上端部に取り付けられる。なお、ダミーウェイト１３には、紙系、高分子系、金属系などの各種の材料を適用することができる。
【００４９】
以上に述べた振動抑制部において、アンプ側から端子部に電気信号が入力されると、その電気信号はボイスコイル１１の各リード線を介して、ボイスコイル１１へ供給される。これにより、ボイスコイル１１に駆動力が発生し、ボイスコイルボビン１０等をスピーカー装置１００の軸方向に振動させる。なお、振動抑制部には振動板は設けられていないので、振動系６１が振動しても不要な音波が発生することはない。
【００５０】
その他の部材としては、固定ネジ７２などが挙げられる。固定ネジ７２は、スピーカー装置１００を車両用のキャビネット等の取り付け部７０に固定する機能を有する。具体的には、固定ネジ７２は、フレーム７の第３のフランジ部７ｃと、取り付け部７０とを固定している。これにより、スピーカー装置１００は、その固定ネジ７２を介して取り付け部７０に固定されている。
【００５１】
（磁気回路の振動抑制方法）
先ず、本発明の第１実施例による磁気回路の振動抑制方法を説明するのに先立って、比較例に係るスピーカー装置を参照して磁気回路等に振動が発生する原理について説明する。図２は、比較例に係るスピーカー装置５００を中心軸を含む平面で切断したときの断面図を示す。
【００５２】
比較例に係るスピーカー装置５００は、第１実施例に係るスピーカー装置１００と略同様の構成である。しかし、前者は、単一の磁気回路及び振動系により構成され、振動抑制部を有していない点が後者と異なっている。このため、以下では、第１実施例に係るスピーカー装置１００と同一の構成要素については同一の符号を付し、その説明を省略する。
【００５３】
スピーカー装置５００では、アンプ側から端子部を介してボイスコイル５に電気信号が入力されると、ボイスコイルボビン４がスピーカー装置５００の軸方向、即ち矢印Ｙ１方向及び矢印Ｙ２方向に移動する。このため、ポールピース１、マグネット２及びプレート３を含む磁気回路５５は、その反作用の力を受けてボイスコイルボビン４の移動方向と逆方向に移動する。具体的には、ボイスコイルボビン４が矢印Ｙ１方向に移動すると、磁気回路５５は、その反作用の力を受けて矢印Ｙ１方向と逆方向の矢印Ｙ４方向に移動する。一方、ボイスコイルボビン４が矢印Ｙ２方向に移動すると、磁気回路５５は、その反作用の力を受けて矢印Ｙ２方向と逆方向の矢印Ｙ３方向に移動する。このように、ボイスコイルボビン４の移動に伴って磁気回路５５はその反作用の力を受けるので、磁気回路５５には振動が発生する。また、磁気回路５５で発生した振動は、矢印Ｙ７に示すようにフレーム７へと伝達され、そのフレーム７へ伝達された振動は、さらに車両用のキャビネット等の取り付け部７０へと伝達される。このため、かかるスピーカー装置５００では、その駆動時に取り付け部７０が振動して、その取り付け部７０から矢印Ｙ８に示す方向、即ち放音側に不要な音波（振動板８から放射される直接音以外の妨害音波）が放射される。これにより、スピーカー装置５００では、高品質な音再生を実現するのが困難となっている。
【００５４】
次に、第１実施例に係るスピーカー装置１００による磁気回路５０及び５１の振動抑制方法について説明する。
【００５５】
第１実施例に係るスピーカー装置１００では、ボイスコイルボビン４がスピーカー軸の上下方向に移動すると、磁気回路５０及び５１はその反作用の力を受ける。このため、磁気回路５０及び５１には、ボイスコイルボビン５の移動に伴って振動が発生することになる。そのような磁気回路５０及び５１で生じる振動を抑制するためには、ボイスコイルボビン４の移動方向と逆方向に且つそれと同一の力で移動する機構を設けて、ボイスコイルボビン４の駆動と同時にその機構を駆動すればよい。これにより、磁気回路５０及び５１において、ボイスコイルボビン４の移動に伴ってその反作用により発生する力（振動）と、ボイスコイルボビン１０の移動に伴ってその反作用により発生する力（振動）とが互いに打ち消され（キャンセルされ）、磁気回路５０及び５１に振動が生じるのを抑制することができる。
【００５６】
そこで、スピーカー装置１００では、上記した機構に対応するものとして振動抑制部を設けて、本体部を動作させる際には振動抑制部も同時に動作させる。但し、この場合、本体部のボイスコイルボビン４と振動抑制部のボイスコイルボビン１０とが夫々逆方向に且つ同一の力で移動しなければ、上記した本発明の作用効果を得ることはできない。
【００５７】
このため、スピーカー装置１００では、ボイスコイル５とボイスコイル１１の有効線長を同一にして、且つ、ボイスコイルボビン４に対するボイスコイル５の巻き方向と、ボイスコイルボビン１０に対するボイスコイル１１の巻き方向とを逆の関係にしている。前者により、ボイスコイルボビン４とボイスコイルボビン１０とを夫々同一の力で移動させることができ、後者により、ボイスコイルボビン４とボイスコイルボビン１０とを夫々逆方向に移動させることができる。
【００５８】
ここで、図３及び図４を参照して、ボイスコイル５及び１１の有効線長及び巻き方向について説明する。図３は、図１におけるボイスコイル５及び１１等を放音側から背面側にかけて観察した状態の部分平面図を示す。なお、図３では、便宜上、最小限の構成要素を示すこととしている。図４は、図３に対応する部分平面図であり、ボイスコイルボビン４に対するボイスコイル５の巻き方向と、ボイスコイルボビン１０に対するボイスコイル１１の巻き方向を夫々同方向に設定した状態の変形例を示す。
【００５９】
先ず、ボイスコイル５及び１１の有効線長について説明する。
【００６０】
一般的に、ボイスコイルに生じる力「Ｆ」は、
Ｆ（Ｎ）  ＝  Ｂ（Ｔ）×Ｌ（ｍ）×Ｉ（Ａ）      （式１）
で表される。ここで、「Ｂ」は磁気回路の磁束密度、「Ｌ」はボイスコイルの有効線長、「Ｉ」はボイスコイルに印加する電流を夫々示している。なお、上記の式１においてカッコ内は物理量（単位）を示している。
【００６１】
ボイスコイル５とボイスコイル１１を夫々同一の力で移動させるには、上記の式１に基づき、ボイスコイル５の力「Ｆ１」と、ボイスコイル１１の力「Ｆ２」とが夫々同一の力となるように調整すればよい。
【００６２】
そこで、まず、パラメータの１つである磁束密度「Ｂ」について検討すると、磁気回路５０と磁気回路５１は略同じ磁気回路の構成よりなるため、磁気回路５０の磁束密度「Ｂ１」と磁気回路５１の磁束密度「Ｂ２」は略同一となっている。したがって、上記の式１において磁束密度「Ｂ」を調整する必要はない。
【００６３】
次に、パラメータの１つである電流「Ｉ」については、ボイスコイル５に印加する電流「Ｉ１」と、ボイスコイル１１に印加する電流「Ｉ２」とを同一にするには、それらに同一の信号を供給すればよい。即ち、再生すべき音声信号をボイスコイル５及び１１に供給すればよい。なお、前述のように、振動抑制部には振動板が設けられていないので、振動抑制部は音声信号が供給されても音波を発することはない。
【００６４】
次に、パラメータの１つであるボイスコイルの有効線長「Ｌ」について検討する。図３に示すように、ボイスコイルボビン１０の半径ｒ２はボイスコイルボビン４の半径ｒ１より大きい。したがって、ボイスコイルボビン４に対するボイスコイル５の有効線長「Ｌ１１」と、ボイスコイルボビン１０に対するボイスコイル１１の有効線長「Ｌ１２」を夫々同一にするためには、それらの長さが同一となるようにボイスコイルボビン１０に対するボイスコイル１１の巻き回数と、ボイスコイルボビン４に対するボイスコイル５の巻き回数とを夫々調整する必要がある。
【００６５】
以上の検討結果を踏まえて、スピーカー装置１００では、ボイスコイル５及びボイスコイル１１に同一の音声信号を印加する。また、ボイスコイルボビン４に対するボイスコイル５の有効線長「Ｌ１１」と、ボイスコイルボビン１０に対するボイスコイル１１の有効線長「Ｌ１２」とが夫々同一となるようにボイスコイルボビン４に対するボイスコイル５の巻き回数とボイスコイルボビン１０に対するボイスコイル１１の巻き回数とを調整する。なお、これにより、スピーカー装置１００では、ボイスコイルボビン４に巻かれたボイスコイル５の巻き幅「ｄ１」が、ボイスコイルボビン１０に巻かれたボイスコイル１１の巻き幅「ｄ２」より大きくなる。
【００６６】
次に、ボイスコイル５及び１１の巻き方向について説明する。図３に示すように、ボイスコイル５は、反時計回りに且つ一定の巻き幅「ｄ１」でボイスコイルボビン４に巻かれている。一方、ボイスコイル１１は、時計回りに且つ一定の巻き幅「ｄ２」でボイスコイルボビン１０に巻かれている。このため、スピーカー装置１００では、ボイスコイル５及び１１に夫々同位相の電流を印加すると、フレミングの左手の法則により、ボイスコイルボビン４及び１０は互いに逆方向に移動する。
【００６７】
なお、この例に代えて、ボイスコイル５を時計回りに且つ一定の巻き幅「ｄ１」でボイスコイルボビン４に巻くと共に、ボイスコイル１１を反時計回りに且つ一定の巻き幅「ｄ２」でボイスコイルボビン１０に巻くようにしても構わない。この場合も、ボイスコイル５及び１１に夫々同位相の電流を印加すると、ボイスコイルボビン４及び１０は互いに逆方向に移動する。即ち、ボイスコイル５とボイスコイル１１の巻き方向を逆方向とし、同位相の電流を印加することにより、駆動時に両コイルに生じる反作用の方向を反対方向とし、磁気回路に生じる振動をキャンセルすることができる。
【００６８】
また、この例に代えて、図４に示すように、ボイスコイル５を時計回り（又は反時計回り）に且つ一定の巻き幅「ｄ１」でボイスコイルボビン４に巻くと共に、ボイスコイル１１を時計回り（又は反時計回り）に且つ一定の巻き幅「ｄ２」でボイスコイルボビン１０に巻くようにしても構わない。即ち、ボイスコイル５と１１を同方向に巻いても構わない。但し、この場合、ボイスコイル５及び１１に同位相の電流を印加すると、フレミングの左手の法則により、ボイスコイルボビン４及び１０は夫々同方向に移動してしまい、本発明の作用効果を得ることができない。したがって、この場合には、ボイスコイル５及び１１に逆位相の電流を印加する必要がある。そうすれば、ボイスコイルボビン４及び１０を互いに逆方向に移動させることができる。
【００６９】
以上のような構成を有するスピーカー装置１００では、アンプ側からボイスコイル５及び１１に対して同位相で且つ同一の大きさの電流（電気信号）を入力すると、ボイスコイルボビン４及び１１は次のような動作をする。ボイスコイルボビン４が一定の力で矢印Ｙ１方向に移動した場合には、ボイスコイルボビン１０はその一定の力と同一の力で矢印Ｙ５方向に移動する。一方、ボイスコイルボビン４が一定の力で矢印Ｙ２方向に移動した場合には、ボイスコイルボビン１０はその一定の力と同一の力で矢印Ｙ６方向に移動する。
【００７０】
これにより、磁気回路５０及び５１において、ボイスコイルボビン４の移動に伴ってその反作用により発生する力（振動）と、ボイスコイルボビン１０の移動に伴ってその反作用により発生する力（振動）とが互いに打ち消され、磁気回路５０及び５１に振動が生じるのを抑制することができる。その結果、磁気回路５０及び５１側からフレーム７を介してキャビネット等の取り付け部７０に振動が伝達するのを効果的に抑制することができる。よって、図１に示す矢印Ｙ８方向に、取り付け部７０から不要な音波（妨害音波）が放射されるのを抑制することができ、スピーカー装置１００では、高品質な音再生することができる。
【００７１】
また、スピーカー装置１００において、本体部側の最低共振周波数と振動抑制部側の最低共振周波数とが夫々異なる場合には、ボイスコイルボビン４及び１０を通じて磁気回路５０及び５１へ伝達される力（振動）の大きさは、スピーカー装置を駆動する音声信号の周波数帯域によって夫々異なってくる。このため、音声信号の周波数帯域によっては、磁気回路５０及び５１において、ボイスコイルボビン４の移動に伴ってその反作用により発生する力（振動）と、ボイスコイルボビン１０の移動に伴ってその反作用により発生する力（振動）との打ち消し効果が低減され、磁気回路５０及び５１の振動抑制効果が低減されてしまう。そこで、スピーカー装置１００では、そのような不具合の発生を回避するため、本体部と振動抑制部の各最低共振周波数が夫々同一となるように設定している。
【００７２】
一般的に、スピーカー装置の最低共振周波数「Ｆｓ」は、
Ｆｓ  ＝  （１／２π）×√{（１／Ｃｍｓ）×Ｍｍｓ}      （式２）
で表される。ここで、「Ｃｍｓ」はコンプライアンス（バネ定数の逆数）、「Ｍｍｓ」はムービングマス（振動系重量と空気の付加質量の和）を夫々示している。なお、上記の式２において、最低共振周波数「Ｆｓ」の単位は（Ｈｚ）であり、コンプライアンス「Ｃｍｓ」の単位は（ｍ/Ｎ）であり、ムービングマス「Ｍｍｓ」の単位は（ｇ）である。
【００７３】
したがって、上記の式２に基づいて、本体部の最低共振周波数「Ｆｓ１」と、振動抑制部の最低共振周波数「Ｆｓ２」とを同一にするためには、例えば、本体部のコンプライアンス「Ｃｍｓ１」と振動抑制部のコンプライアンス「Ｃｍｓ２」とを同一にし、尚且つ本体部のムービングマス「Ｍｍｓ１」と振動抑制部のムービングマス「Ｍｍｓ２」とを同一にする必要がある。
【００７４】
そこで、スピーカー装置１００では、例えば、本体部のダンパー６の弾性部の弾力性能等と、振動抑制部のダンパー１２の弾性部の弾力性能等が夫々同一となるように調整することにより、本体部のコンプライアンス「Ｃｍｓ１」と振動抑制部のコンプライアンス「Ｃｍｓ２」とが夫々同一となるように設定されている。また、振動抑制部に設けられるダミーウェイト１３の重さを調整することにより、本体部の振動系６０の質量と、振動抑制部の振動系６１の質量とが夫々同一になるように設定されている。なお、本体部の空気の付加質量と、振動抑制部の空気の付加質量も同一となるように設定されている。これにより、スピーカー装置１００では、本体部のムービングマス「Ｍｍｓ１」と振動抑制部のムービングマス「Ｍｍｓ２」とが夫々同一となるように設定されている。よって、スピーカー装置１００では、上記の式２により、本体部の最低共振周波数「Ｆｓ１」と、振動抑制部の最低共振周波数「Ｆｓ２」とが同一となるように設定されている。
【００７５】
これにより、スピーカー装置１００では、その再生可能周波数の全帯域に亘って、上記した磁気回路５０及び５１の振動抑制方法により、磁気回路５０及び５１に振動が生じるのを抑制することができる。よって、スピーカー装置１００では、その再生可能周波数の全帯域に亘って、図１に示す矢印Ｙ８方向に、取り付け部７０から不要な音波（妨害音波）が放射されるのを抑制することができる。これにより、スピーカー装置１００では、その再生可能周波数の全帯域に亘って、高品質な音再生することができる。
【００７６】
また、スピーカー装置１００では、フレーム７が分割振動（ローリングに類する振動）を引き起こす周波数以下において、上記した磁気回路５０及び５１の振動抑制方法が有効となるように設定されている。この理由は、上記の磁気回路５０及び５１の振動抑制方法により磁気回路５０及び５１の振動が抑制されているときにフレーム７が分割振動を起こすと、その振動が磁気回路５０及び５１に伝達されてしまい、磁気回路５０及び５１の振動抑制効果が低減してしまうからである。
【００７７】
[第２実施例]
上記の第１実施例に係るスピーカー装置１００では、その中心軸側に本体部を配置すると共に、本体部の外側とフレーム７との間に振動抑制部を配置するよう構成にして、磁気回路等の振動を抑制し、車両用のキャビネット等の取り付け部７０から不要な音波が放射されるのを抑制するようにした。これに対し、第２実施例に係るスピーカー装置２００では、その中心軸側に振動抑制部を配置すると共に、振動抑制部の外側とフレームとの間に本体部を配置するように構成して、第１実施例と同様の効果を得る。
【００７８】
（スピーカー装置の構成）
図５に、本発明の第２実施例に係るスピーカー装置２００の概略構成を模式的に示す。図５は、スピーカー装置２００を中心軸を含む平面で切断したときの断面図を示す。以下、図５を参照して、第２実施例のスピーカー装置２００の構成等について説明する。
【００７９】
スピーカー装置２００は、放音側に音波を放射する主体的な機能を果たす本体部と、駆動時に本体部の振動系が振動することに起因して磁気回路で発生する振動を抑制する振動抑制部と、その他の部材と、を備えている。スピーカー装置２００は、車両用スピーカーとしてキャビネット、ドア等の取り付け部に取り付けた状態で好適に用いることができる。  本体部は、ポールピース２１の構成要素であるヨーク２１ａ及びヨーク２１ｃ、並びにマグネット２２及びプレート２３を有する磁気回路５２と、ボイスコイルボビン１４、ボイスコイル１５、ダンパー１６、フレーム１７、振動板１８及び防塵キャップ１９を有する振動系６２と、を備えている。
【００８０】
先ず、本体部の磁気回路５２の構成について説明する。
【００８１】
ポールピース２１は、その略中央に形成された略円柱形状をなすセンターポール２１ｂと、そのセンターポール２１ｂと一定の間隔を隔てて形成された略円筒形状をなすヨーク２１ｃと、センターポール２１ｂの下端部とヨーク２１ｃの下端部との間に形成されたフランジ形状をなすヨーク２１ａと、を備えている。このポールピース２１の構成要素のうちヨーク２１ａ及びヨーク２１ｃは、マグネット２２及びプレート２３と共に磁気回路５２を構成している。
【００８２】
マグネット２２は、略環状の形状をなし、ヨーク２１ａ上に重なり合う位置に配置されている。プレート２３は、略環状の形状をなし、マグネット２２上に重なり合う位置に配置されている。
【００８３】
磁気回路５２では、主として、マグネット２２、プレート２３、ヨーク２１ａ及びヨーク２１ｃにより磁気回路を構成し、プレート２３の外周壁とヨーク２１ｃの内周壁との間に形成される磁気ギャップ３３にマグネット２２の磁束を集中させている。
【００８４】
次に、本体部の振動系６２の構成について説明する。
【００８５】
ボイスコイルボビン１４は、略円筒状の形状をなす。ボイスコイルボビン１４の外周壁の下端部近傍は、ヨーク２１ｃの内周壁と一定の間隔を隔てて対向している。一方、ボイスコイルボビン１４の内周壁の下端部近傍は、プレート２３の外周壁及びマグネット２２の外周壁の一部と一定の間隔を隔てて対向している。そして、プレート２３の外周壁と、対向するヨーク２１ｃの内周壁との間に空隙（磁気ギャップ３３）が形成されている。
【００８６】
ボイスコイル１５は、ボイスコイルボビン１４の外周壁の下端部に、放音側から見て時計回りに巻かれている。また、ボイスコイル１５の有効線長は、後述するボイスコイル１１１の有効線長と同一の長さに設定されている。ボイスコイル１５は、ボイスコイルボビン１１０の径より大きな径を有するボイスコイルボビン１４に巻かれているため、ボイスコイルボビン１４に対するボイスコイル１５の巻き回数は、ボイスコイルボビン１１０に対するボイスコイル１１１の巻き回数より少なくなっている。このため、ボイスコイル１５の巻き幅は、図５では特に示さないが後述するボイスコイル１１１の巻き幅より小さくなっている。
【００８７】
ダンパー１６は、略リング形状をなし、複数の波型が同心円状に形成されてなる弾性部を有している。ダンパー１６は、ボイスコイルボビン１４を移動自在に支持する。ダンパー１６の内周縁部は、ボイスコイルボビン１４の外周壁の上端部近傍に固着している。一方、ダンパー１６の外周縁部は、フレーム１７に設けられた第２のフランジ部１７ｂ上に固着している。
【００８８】
フレーム１７には、スピーカー装置２００の様々な構成部品が固定され、スピーカー装置２００を支持する役目を担う。フレーム１７は、第１のフランジ部１７ａと、第２のフランジ部１７ｂと、第３のフランジ部１７ｃとを有している。
【００８９】
第１のフランジ部１７ａは、フレーム１７の下端部に形成される。第１のフランジ部１７ａは、後述するヨーク２１ｃの突起部２１ｃａが挿入される位置に開口１７ａｂを有している。この開口１７ａｂ内には突起部２１ｃａが挿入され、且つ、その突起部２１ｃａの上部がカシメ装置（図示略）にてカシメられた状態で、フレーム１７がヨーク２１ｃに固定されている。第２のフランジ部１７ｂは、フレーム１７の略中央の位置に形成される。第２のフランジ部１７ｂ上には、ダンパー１６の外周縁部が取り付けられる。第３のフランジ部１７ｃは、フレーム１７の上端部に形成される。第３のフランジ部１７ｃ上には、振動板１８の外周縁部が取り付けられる。このため、第３のフランジ部１７ｃは、振動板１８を支持する役割を担う。
【００９０】
振動板１８は、いわゆるコーン形状の振動板であり、別体のエッジ部１８ａと接着して接合するか、あるいはエッジ部１８ａと一体的に形成されている。エッジ部１８ａの外周縁部は、上記したようにフレーム１７の上端部に形成された第３のフランジ部１７ｃ上に固着している。一方、振動板１８の内周縁部は、ボイスコイルボビン１４の外周壁の上端部近傍に固着している。
【００９１】
防塵キャップ１９は、略ドーム形状をなし、放音側となる振動板１８の内周縁部の近傍位置に取り付けられる。防塵キャップ１９は、スピーカー装置２００の内部に粉塵等の異物が侵入するのを防止する機能を果たす。
【００９２】
以上に述べた本体部において、アンプ側から端子部に電気信号が入力されると、その電気信号はボイスコイル１５の各リード線を介して、ボイスコイル１５へ供給される。これにより、磁気ギャップ３３内でボイスコイル１５に駆動力が発生し、振動板１８をスピーカー装置２００の軸方向に振動させる。これにより、振動板１８は放音側に音波を放射する。
【００９３】
振動抑制部は、ポールピース２１の構成要素であるヨーク２１ａ及びセンターポール２１ｂ、並びにマグネット２２及びプレート２３を有する磁気回路５３と、ボイスコイルボビン１１０、ボイスコイル１１１、ダンパー１１２及びダミーウェイト１１３を有する振動系６３と、を備えている。
【００９４】
先ず、振動抑制部の磁気回路５３の構成について説明する。
【００９５】
ポールピース２１の構成要素であるヨーク２１ａ及びセンターポール２１ｂは、マグネット２２及びプレート２３と共に磁気回路５３を構成している。
【００９６】
ヨーク２１ａ及びセンターポール２１ｂ、並びにマグネット２２及びプレート２３の構成は上述した通りである。
【００９７】
磁気回路５３では、主として、マグネット２２、プレート２３、ヨーク２１ａ及びセンターポール２１ｂにより磁気回路を構成し、プレート２３の内周壁とセンターポール２１ｂの外周壁との間に形成される磁気ギャップ３２にマグネット２２の磁束を集中させている。このように、本体部の磁気回路５２と振動抑制部の磁気回路５３は一体的に形成されているので、それらに対応する磁気ギャップ３２、３３では各々略同一の大きさの磁界が形成されている。
【００９８】
次に、振動抑制部の振動系６３の構成について説明する。
【００９９】
ボイスコイルボビン１１０は、略円筒状の形状をなし、ボイスコイルボビン１４の径よりも小さな径を有している。ボイスコイルボビン１１０の外周壁の下端部近傍は、プレート２３の内周壁と一定の間隔を隔てて対向している。一方、ボイスコイルボビン１１０の内周壁の下端部近傍は、センターポール２１ｂの外周壁と夫々一定の間隔を隔てて対向している。そして、プレート２３の内周壁と、対向するセンターポール２１ｂの外周壁との間に空隙（磁気ギャップ３２）が形成されている。
【０１００】
ボイスコイル１１１は、ボイスコイルボビン１１０の外周壁の下端部に、放音側から見て反時計回りに巻かれている。そして、本例では、第１実施例と同様に、アンプ側からボイスコイル１５及び１１１に対しては夫々同位相で且つ同一の大きさの電流（電気信号）を印加するように設定している。なお、これに代えて、前述のように、ボイスコイル１５を反時計回り、ボイスコイル１１１を時計回りに巻いてもよい。
【０１０１】
ボイスコイル１１１は、ボイスコイルボビン１４の径より小さな径を有するボイスコイルボビン１１０に巻かれているため、ボイスコイルボビン１１０に対するボイスコイル１１１の巻き回数は、ボイスコイルボビン１４に対するボイスコイル１５の巻き回数より多くなっている。このため、ボイスコイル１５の巻き幅は、図５では特に示さないが後述するボイスコイル１１１の巻き幅より小さくなっている。
【０１０２】
なお、本例では、ボイスコイル１５と１１１を逆方向に巻き、同位相の電流を印加しているが、その代わりに、ボイスコイル１５と１１１を同じ方向に巻き、逆位相の電流を印加することとしてもよい。
【０１０３】
ダンパー１１２は、略リング形状をなし、複数の波型が同心円状に形成されてなる弾性部を有している。ダンパー１１２は、ボイスコイルボビン１１０を移動自在に支持する。ダンパー１１２の内周縁部は、センターポール２１ｂの外周壁の上端部に固着している。一方、ダンパー１１２の外周縁部は、ボイスコイルボビン１１０の内周壁の上端近傍に固着している。
【０１０４】
ダミーウェイト１１３は、振動抑制部において重りとしての役割を果たす。ダミーウェイト１１３は、振動系の重量に空気の付加質量を加えた質量、具体的には、本体部の振動系６２と振動抑制部の振動系６３とが同一の質量となるような重さに設定されている。ダミーウェイト１１３は、略キャップ形状をなし、ボイスコイルボビン１１０の上部を閉塞する位置に取り付けられている。ダミーウェイト１１３には、紙系、高分子系、金属系などの各種の材料を適用することができる。なお、本例ではダミーウェイトはキャップ形状であるが、その代わりに第１実施例のようなリング形状としてもよい。
【０１０５】
以上に述べた振動抑制部において、アンプ側から端子部に電気信号が入力されると、その電気信号はボイスコイル１１１の各リード線を介して、ボイスコイル１１１へ供給される。これにより、ボイスコイル１１１に駆動力が発生し、ボイスコイルボビン１１０等をスピーカー装置２００の軸方向に振動させる。但し、振動抑制部には振動板波は設けられていないので、不要な音波が発生することはない。
【０１０６】
（磁気回路の振動抑制方法）
次に、第２実施例に係る磁気回路の振動抑制方法について説明する。なお、第２実施例に係るスピーカー装置２００における磁気回路５２及び５３の振動抑制方法は、上述した第１実施例に係るスピーカー装置１００における磁気回路の振動抑制方法と略同様であるため、以下では簡略化して説明する。
【０１０７】
スピーカー装置２００では、アンプ側から端子部を介してボイスコイル１５に電気信号が入力されると、ボイスコイルボビン１４がスピーカー装置２００の軸方向、即ち矢印Ｙ１方向及び矢印Ｙ２方向に移動する。このとき、第２実施例に係る磁気回路５２及び５３の振動抑制方法を適用しなければ、磁気回路５２及び５３は、その反作用の力を受けてボイスコイルボビン１４の移動方向と逆方向に移動する。そして、その磁気回路５２及び５３で発生した振動は、さらにフレーム１７を介して車両用のキャビネット等の取り付け部７０に伝達され、その取り付け部７０から矢印Ｙ８方向に不要な音波（妨害音波）が放射される。
【０１０８】
そこで、第２実施例に係るスピーカー装置２００では、第１実施例に係るスピーカー装置１００と同様に、本体部を動作させる際には振動抑制部も同時に動作させる。これにより、磁気回路５２及び５３の振動を抑制することができる。その具体的な方法について以下に述べる。
【０１０９】
スピーカー装置２００では、上記したようにボイスコイルボビン１４に対するボイスコイル１５の巻き方向と、ボイスコイルボビン１１０に対するボイスコイル１１１の巻き方向とを夫々逆にしている。また、スピーカー装置２００では、ボイスコイル１５及び１１１に対して夫々同位相で且つ同一の大きさの電流（電気信号）が印加される。このため、スピーカー装置２００において、アンプ側からボイスコイル１５及び１１１に夫々同位相で且つ同一の大きさの電流（電気信号）を印加した場合、ボイスコイルボビン１４及び１１０は次のような動作をする。ボイスコイルボビン１４が一定の力で矢印Ｙ１方向に移動した場合には、ボイスコイルボビン１１０はその一定の力と同一の力で矢印Ｙ５方向に移動する。一方、ボイスコイルボビン１４が一定の力で矢印Ｙ２方向に移動した場合には、ボイスコイルボビン１１０はその一定の力と同一の力で矢印Ｙ６方向に移動する。
【０１１０】
これにより、磁気回路５２及び５３において、ボイスコイルボビン１４の移動に伴ってその反作用により発生する力（振動）と、ボイスコイルボビン１１０の移動に伴ってその反作用により発生する力（振動）とが互いに打ち消され、磁気回路５２及び５３に振動が生じるのを抑制することができる。その結果、磁気回路５２及び５３側からフレーム１７を介して車両用のキャビネット等の取り付け部７０に振動が伝達するのを効果的に抑制することができる。よって、図５に示す矢印Ｙ８方向に、取り付け部７０から不要な音波（妨害音波）が放射されるのを抑制することができる。これにより、スピーカー装置２００では、高品質な音再生することができる。
【０１１１】
また、スピーカー装置２００において、本体部側の最低共振周波数と振動抑制部側の最低共振周波数とが夫々異なる場合には、ボイスコイルボビン１４及び１１０を通じて磁気回路５２及び５３へ伝達される力（振動）の大きさが周波数によって夫々異なってくる。このため、第２実施例においても、スピーカー装置２００では、本体部と振動抑制部の各最低共振周波数が夫々同一となるように設定している。これにより、スピーカー装置２００では、第１実施例に係るスピーカー装置１００と同様に、その再生可能周波数の全帯域に亘って、図５に示す矢印Ｙ８方向に、取り付け部７０から不要な音波（妨害音波）が放射されるのを抑制することができる。これにより、スピーカー装置２００では、その再生可能周波数の全帯域に亘って、高品質な音再生することができる。
【０１１２】
また、スピーカー装置２００では、第１実施例に係るスピーカー装置１００と同様に、本発明の作用効果を確実に発揮させるため、フレーム１７が分割振動（ローリングに類する振動）を引き起こす周波数以下において、上記した磁気回路５２及び５３の振動抑制方法が有効となるように設定されている。
【０１１３】
[変形例]
上記の各実施例では、コーン型振動板を有する低音再生用のスピーカー装置に本発明を適用することとしているが、これに限らず、高音再生用に適したドーム型振動板を有するスピーカー装置に対しても本発明を適用することができる。
【図面の簡単な説明】
【０１１４】
【図１】本発明の第１実施例のスピーカー装置の構成を模式的に示す断面図。
【図２】比較例に係るスピーカー装置の構成を模式的に示す断面図。
【図３】本体部及び振動抑制部の各ボイスコイルの有効線長及び巻き方向を説明する部分平面図。
【図４】変形例に係る本体部及び振動抑制部の各ボイスコイルの有効線長及び巻き方向を説明する部分平面図。
【図５】本発明の第２実施例のスピーカー装置の構成を模式的に示す断面図。
【符号の説明】
【０１１５】
１、２１  ポールピース
２、２２  マグネット
３、２３  プレート
４、１０、１４、１１０  ボイスコイルボビン
５、１１、１５、１１１  ボイスコイル
６、１２、１６、１１２  ダンパー
７、１７  フレーム
８、１８  振動板
９、１９  防塵キャップ
１３、１１３  ダミーウェイト
５０、５１、５２、５３、５５  磁気回路
６０、６１、６２、６３  振動系
７０  取り付け部
１００、２００、５００  スピーカー装置
【図１】
2006013587.tif 000003
【図２】
2006013587.tif 000004
【図３】
2006013587.tif 000005
【図４】
2006013587.tif 000006
【図５】
2006013587.tif 000007